(57)【要約】【課題】フラップが起立した状態で装着することを容易にする吸収性物品を提供する。【解決手段】長手方向ｙと幅方向ｘを有し、肌側面に長手方向ｙに延びるフラップ６が備えられた吸収性物品１であって、フラップ６は、吸収性物品１の肌側面から延出し、自由端９に沿って弾性部材１２が設けられ、フラップ６の外側面が吸収性物品１の肌側面に接合部１３で仮留めされている。【選択図】図１
2013198686.tif 000002
【特許請求の範囲】
【請求項１】
長手方向と幅方向を有し、肌側面に長手方向に延びるフラップが備えられた吸収性物品であって、
前記フラップは、吸収性物品の肌側面から延出し、自由端に沿って弾性部材が設けられ、
前記フラップの外側面が、吸収性物品の肌側面に接合部で仮留めされていることを特徴とする吸収性物品。
【請求項２】
前記フラップは、長手方向の端部の内側面が吸収性物品の肌側面に固定されている請求項１に記載の吸収性物品。
【請求項３】
前記フラップが吸収性物品の肌側面から延出する基点を起立基部としたとき、
前記接合部は、前記起立基部から離間して設けられる請求項１または２に記載の吸収性物品。
【請求項４】
前記吸収性物品は、肌側面に設けられたトップシートと、外側面に設けられたバックシートと、それらの間に設けられた吸収性コアと、前記トップシートの幅方向の両側に設けられたサイドシートとを有し、
前記サイドシートは、前記トップシートに固定された固定部と、前記固定部から延出し前記自由端を含む起立部と、前記固定部より幅方向の外方に位置し、前記バックシートおよび／または前記吸収性コアに積層されたサイド部を有し、
前記起立基部が前記固定部と前記起立部の境界に形成されるとともに、前記フラップが前記起立部により形成され、
前記起立部の外側面が、前記固定部または前記サイド部に前記接合部で仮留めされている請求項１〜３のいずれか一項に記載の吸収性物品。
【請求項５】
前記接合部は、長手方向に３０ｍｍ以下の長さで設けられている請求項１〜４のいずれか一項に記載の吸収性物品。
【請求項６】
前記フラップが吸収性物品の肌側面から延出する基点を起立基部としたとき、
前記吸収性物品は、前記フラップとともに、または、前記起立基部から幅方向の外方で、幅方向に折り返されている請求項１〜５のいずれか一項に記載の吸収性物品。
【発明の詳細な説明】
【技術分野】
【０００１】
本発明は、尿パッド（失禁パッドを含む）、使い捨ておむつ等の吸収性物品に関するものである。
【背景技術】
【０００２】
従来、トップシートとバックシートとこれらの間に設けられた吸収性コアを有し、吸収性コアの幅方向の両側にフラップが設けられた吸収性物品が知られている。フラップは尿等の横漏れを防止するために設けられ、フラップが着用者の肌に向かって起立するように吸収性物品を装着することが好ましい。このように、吸収性物品を装着する際にフラップがきちんと起立するようにするために、例えば特許文献１には、フラップを識別するための識別部を備えた吸収性物品が開示されている。特許文献１に開示された吸収性物品は、識別部によってフラップが容易に識別でき、それにより吸収性物品を装着する際にフラップを起立させるように使用者に促すものである。
【先行技術文献】
【特許文献】
【０００３】
【特許文献１】特開２０１１−１８２８１７号公報
【発明の概要】
【発明が解決しようとする課題】
【０００４】
特許文献１に開示されるように吸収性物品を装着する際にフラップを起立させることは、吸収性物品を正しく着用して横漏れを防止する点から重要であるが、吸収性物品を装着する際に、より確実にフラップを起立させるための工夫が求められている。
【０００５】
本発明は前記事情に鑑みてなされたものであり、その目的は、フラップが起立した状態で装着することを容易にする吸収性物品を提供することにある。
【課題を解決するための手段】
【０００６】
前記課題を解決することができた本発明の使い捨て吸収性物品とは、長手方向と幅方向を有し、肌側面に長手方向に延びるフラップが備えられた吸収性物品であって、フラップは、吸収性物品の肌側面から延出し、自由端に沿って弾性部材が設けられ、フラップの外側面が吸収性物品の肌側面に接合部で仮留めされているところに特徴を有する。本発明の吸収性物品は、フラップの外側面が吸収性物品の肌側面に仮留めされているため、吸収性物品を装着する際にフラップの仮留めを解除することで、フラップがしっかりと立ち上がりやすくなり、尿等の横漏れが起こりにくくなる。
【０００７】
フラップは、長手方向の端部の内側面が吸収性物品の肌側面に固定されていることが好ましい。このようにフラップが形成されていれば、フラップが起立する方向に力が作用するようになる。従って、吸収性物品を使用する際に吸収性物品を長手方向に引っ張ったりすることで、フラップの外側面に設けられた接合部の仮留めが外れやすくなる。
【０００８】
フラップが吸収性物品の肌側面から延出する基点を起立基部としたとき、接合部は、起立基部から離間して設けられることが好ましい。接合部が起立基部から離間して設けられていれば、接合部の仮留めを解除しやすくなる。また、接合部と起立基部の間に指を差し込んで接合部の仮留めを外すことも可能となり、このように操作することで容易に接合部の仮留めを外すことができる。
【０００９】
接合部は、長手方向に３０ｍｍ以下の長さで設けられていることが好ましい。このように接合部が設けられればフラップの仮留めを解除しやすくなる。
【００１０】
吸収性物品は、フラップとともに、または、起立基部から幅方向の外方で、幅方向に折り返されていることが好ましい。吸収性物品がこのように幅方向に折り返されていれば、接合部を挟んで、フラップと吸収性物品の肌側面とが互いに離れるような力が作用しにくくなり、吸収性物品の使用前に、フラップの吸収性物品の肌側面への仮留めが維持されやすくなる。
【００１１】
吸収性物品は、例えば、肌側面に設けられたトップシートと、外側面に設けられたバックシートと、それらの間に設けられた吸収性コアと、トップシートの幅方向の両側に設けられたサイドシートとを有し、サイドシートは、トップシートに固定された固定部と、固定部から延出し自由端を含む起立部と、固定部より幅方向の外方に位置し、バックシートおよび／または吸収性コアに積層されたサイド部を有し、起立基部が固定部と起立部の境界に形成されて構成される。このように構成された吸収性物品では、フラップが起立部により形成され、起立部の外側面が、固定部またはサイド部に接合部で仮留めされることにより、フラップの外側面が吸収性物品の肌側面に接合部で仮留めされることとなる。本発明の吸収性物品は、このように構成されてもよい。
【発明の効果】
【００１２】
本発明の吸収性物品は、フラップの外側面が吸収性物品の肌側面に仮留めされているため、吸収性物品を装着する際にフラップの仮留めを解除することで、フラップがしっかりと立ち上がりやすくなり、尿等の横漏れが起こりにくくなる。
【図面の簡単な説明】
【００１３】
【図１】フラップの仮留めが解除された状態の吸収性物品（尿パッド）を肌側面から見た平面図を表す。
【図２】図１に示した吸収性物品のＡ−Ａ断面図を表す。
【発明を実施するための形態】
【００１４】
本発明の吸収性物品は、幅方向と長手方向を有し、肌側面に長手方向に延びるフラップが備えられたものである。本発明の吸収性物品の態様としては、尿パッド（失禁パッドを含む）や使い捨ておむつ等が示される。
【００１５】
本発明において、吸収性物品の長手方向とは、吸収性物品を着用者が着用した際、着用者の股間の前後方向に延びる方向を意味する。吸収性物品の幅方向とは、吸収性物品を平面状に広げた状態で吸収性物品と同一面上にあり、長手方向と直交する方向を意味する。吸収性物品の肌側面とは、吸収性物品を着用した際、着用者の肌に向く側の面を意味する。吸収性物品の外側面とは、吸収性物品を着用した際、着用者とは反対側を向く面を意味する。
【００１６】
吸収性物品の形状は特に限定されない。吸収性物品が、例えば尿パッドである場合、吸収性物品の形状としては、略長方形、角の丸まった長方形、砂時計型、ひょうたん型、羽子板型等が示される。吸収性物品が使い捨ておむつである場合は、左右に一対の止着部材が備えられ、当該止着部材により着用時にパンツ型に形成するオープン型使い捨ておむつが、本発明の吸収性物品として好適に適用できる。
【００１７】
吸収性物品は、例えば、トップシートとバックシートとこれらの間に吸収性コアが配されて形成される。この場合、吸収性物品の肌側面としては、トップシートが挙げられる。トップシートの幅方向の両側にサイドシートが設けられる場合は、サイドシートも吸収性物品の肌側面を構成する。また、バックシートが吸収性物品の側面で折り返されてトップシートの肌側面に接合されるような場合は、トップシートの肌側面に折り返されたバックシートも、吸収性物品の肌側面を構成する。
【００１８】
吸収性物品は、トップシートとバックシートの間に吸収性コアが配された吸収性本体が、外装シートの肌側面に取り付けられて形成されてもよい。この場合、吸収性物品の肌側面としては、トップシートや、外装シートの肌側面が挙げられる。
【００１９】
トップシートは、吸収性物品の着用の際に着用者側に位置するシートであり、液透過性であることが好ましい。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００２０】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性とは撥水性の意味も含まれる。
【００２１】
サイドシートは液不透過性であることが好ましく、バックシートに使用可能なシート材料を用いることができる。
【００２２】
外装シートは液透過性であっても液不透過性であってもよい。外装シートはトップシートやバックシートに使用可能なシート材料を用いることができる。例えば、外装シートは、液透過性の内側シートに液不透過性の外側シートが積層されて形成されてもよい。
【００２３】
上記説明した各シート材料として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００２４】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００２５】
吸収性材料は、尿等の吸収速度を高める点から、親水性繊維を含むことが好ましい。また、吸収容量を高める点からは、吸収性材料は吸水性樹脂を含むことが好ましい。吸収性材料は、例えば、親水性繊維の集合体に吸水性樹脂を混合または散布したものを用いることが好ましい。
【００２６】
吸収性コアの形状（平面形状）は特に限定されない。吸収性コアの形状は、用途に応じて適宜決定すればよく、例えば、略長方形、砂時計型、ひょうたん型、羽子板型等が挙げられる。
【００２７】
吸収性物品は、肌側面に長手方向に延びるフラップが設けられている。フラップは吸収性物品の肌側面から延出し、吸収性物品の着用時、着用者から排泄された尿等の防漏壁として作用する。従って、フラップは液不透過性であることが好ましい。
【００２８】
フラップは、吸収性物品の肌側面から延出する基点となる起立基部を有し、起立基部から起立可能に形成されている。フラップは、起立基部で吸収性物品の肌側面に固定されている。本発明において、フラップとは、起立基部を基点として起立可能に形成された部分を意味し、起立基部から後述する自由端に至る部分を意味する。
【００２９】
フラップは、吸収性コアの幅方向両側（すなわち左右両側）に設けられることが好ましい。フラップは、起立基部が吸収性コアと重なって吸収性コアの両側縁に沿って設けられてもよく、吸収性コアの幅方向両外側に設けられてもよい。
【００３０】
フラップは、自由端に沿って弾性部材が設けられている。自由端は、フラップが起立した際に肌側に位置する端を意味し、起立基部に対向して設けられている。弾性部材は自由端に沿って設けられ、このとき、弾性部材は自由端から２０ｍｍ以内（より好ましくは１５ｍｍ以内であり、さらに好ましくは１０ｍｍ以内）に設けられることが好ましい。弾性部材は伸張状態でフラップに設けられ、吸収性物品を使用する際、弾性部材の収縮力によりフラップが着用者の肌に向かって立ち上がり、防漏壁が形成される。
【００３１】
フラップは、例えば、フラップを形成する部材として単独で設けられる。この場合、フラップは、フラップ部材が吸収性物品の肌側面に取り付けられることにより形成される。フラップ部材は、バックシートに使用可能なシート材料を用いることができる。
【００３２】
フラップはまた、他の部材が延在して形成されてもよい。例えば、バックシートが吸収性物品の側面でトップシートの肌側面に折り返されて、トップシートの肌側面に折り返されたバックシートがフラップを形成してもよく、あるいは、トップシートの幅方向の両側に設けられたサイドシートの一部がフラップを形成してもよい。
【００３３】
フラップは、幅方向の外側面が吸収性物品の肌側面に接合部で仮留めされている。従って、吸収性物品は使用前、例えば、フラップの少なくとも一部が幅方向の外方に傾倒して設けられたり、起立基部より幅方向の外方に位置する吸収性物品の部分が起立して（例えば、幅方向の内方に傾倒して）設けられている。
【００３４】
フラップの仮留めは、吸収性物品を使用する際に、解除されるように意図されているものである。従って、フラップが仮留めされる接合部は、手でフラップを引っ張ることで仮留めが解除される程度に、あるいは吸収性物品を長手方向に引っ張ったときに仮留めが解除される程度に、接合されていることが好ましい。本発明の吸収性物品は、このようにフラップの外側面が吸収性物品の肌側面に仮留めされているため、吸収性物品を装着する際、フラップがしっかりと立ち上がりやすくなる。
【００３５】
例えば従来の吸収性物品は、使用前、フラップが幅方向の内方に傾倒して折り畳まれていることが多いため、吸収性物品を使用する際、フラップが幅方向の内方に傾倒した状態で吸収性物品が装着される場合があった。このような状態で吸収性物品を装着すると、フラップが防漏壁としての機能を十分発揮できず、横漏れを起こしやすくなる。また、両フラップ間に挟まれた股間の領域が狭くなるため、排泄物が吸収性物品の両フラップ間に排泄されずに横漏れを起こす可能性が高まる。しかし本発明の吸収性物品は、フラップの外側面が吸収性物品の肌側面に仮留めされているため、装着の際にフラップを手でつまんで仮留めを外したり、あるいは、吸収性物品を長手方向に引っ張ってフラップの弾性部材を伸張させたりすることにより仮留めを外すことで、フラップがしっかりと立ち上がりやすくなる。しかも、フラップの外側面が仮留めされているため、フラップは幅方向の斜め外方に立ち上がりやすくなって、排泄物の収集面積も広がりやすくなる。
【００３６】
フラップの仮留めは、接着剤、熱融着、超音波融着等の従来公知の接合手段により行われればよい。仮留めされる接合部の接合強度は、接着剤の種類や組成、接着剤の塗布パターン、熱融着や超音波融着の接合パターンを適宜選択することで、調整することができる。例えば、粘着力の低い接着剤を用いたり、熱融着温度を下げたり、接合部を設ける面積を減らしたり、接合部を断続的に設けたりすることで、仮留めの接合強度を下げることができる。
【００３７】
接合部の接合強度は、接合部により仮留めされた部材の破断強度よりも小さいことが好ましい。このように接合部が形成されていれば、接合部よって仮留めされた部材を破らずに、仮留めを解除することが容易になる。なお、接合部により仮留めされた部材とは、フラップを構成する部材と、フラップの仮留めの相手となる吸収性物品の肌側面を構成する部材を意味し、これらの部材は吸収性物品の構成により変わるが、例えば、フラップ部材、トップシート、バックシート、サイドシート等が挙げられる。接合強度と破断強度の大きさの比較は、ＪＩＳ  Ｋ６８５４−１の接着剤剥離接着強さ試験方法（９０度剥離）に従って接合部の接合強度を測定した際、フラップの接合部での仮留めが外れるまでに、接合部により仮留めされた部材が破断（例えば、穴が開いたり破れたり）するか否かで判断する。従って本発明の吸収性物品では、接合部の接合強度を測定した際、フラップの接合部での仮留めが外れるまでに、接合部により仮留めされた部材が破断しないことが好ましい。
【００３８】
接合部の接合強度は、フラップが起立基部で吸収性物品の肌側面に固定される固定強度より小さいことが好ましい。このように接合部が形成されていれば、フラップが起立基部で吸収性物品の肌側面に固定されたまま、仮留めを解除することが容易になる。従って、フラップの仮留めを解除して吸収性物品を使用する際、フラップによって横漏れが好適に防止されるようになる。接合強度と固定強度は、ＪＩＳ  Ｋ６８５４−１の接着剤剥離接着強さ試験方法（９０度剥離）に従って測定する。
【００３９】
フラップの接合部での仮留めは、吸収性物品を使用する際に解除されるものであるため、接合部はフラップの一部に設けられればよい。接合部は、例えば、長手方向に３０ｍｍ以下（より好ましくは２０ｍｍ以下であり、さらに好ましくは１０ｍｍ以下）の長さで設けられることが好ましく、このように接合部が設けられればフラップの仮留めを解除しやすくなる。なお、前記の接合部の長さは、接合部が複数設けられる場合は１つの接合部の長さを意味する。また接合部は、フラップの長手方向の中央部に設けられることが好ましく、このように接合部が設けられれば、吸収性物品の使用の際、フラップが好適に立ち上がりやすくなる。具体的には、吸収性物品を長手方向に４分割したとき、真ん中の２つの分割部分の領域に接合部が設けられることが好ましい。
【００４０】
接合部は、フラップの自由端から起立基部の間に設けられればよいが、好ましくは、起立基部から離間して設けられる。接合部が起立基部から離間して設けられていれば、接合部の仮留めを解除しやすくなる。例えば、吸収性物品を使用する際に、吸収性物品を長手方向に引っ張ってフラップの弾性部材を伸張させると、接合部により仮留めされた部材が接合部の周囲で歪んで、接合部の仮留めを解除しやすくなる。あるいは、接合部と起立基部の間に指を差し込んで接合部の仮留めを外すことも可能となり、このように操作することで容易に接合部の仮留めを外すことができる。
【００４１】
フラップは、長手方向の端部の内側面（幅方向の内側面）が、吸収性物品の肌側面に固定されていることが好ましい。このようにフラップが形成されていれば、フラップが起立する方向に力が作用するようになり、従って、吸収性物品を使用する際に吸収性物品を長手方向に引っ張ったりすることで、フラップの外側面に設けられた接合部の仮留めが外れやすくなる。
【００４２】
本発明の吸収性物品は、使用前は、フラップが接合部で仮留めされている。従って、吸収性物品の使用前は、フラップの接合部での仮留めが維持されることが好ましい。そのような点から、吸収性物品は使用前、フラップの起立基部から幅方向の外方で、幅方向に折り返されている（つまり、長手方向に延びる折り目で折り返されている）ことが好ましい。なお、起立基部から幅方向の外方には、起立基部が含まれ、起立基部とそれより幅方向の外方を意味する。吸収性物品はあるいは、使用前、フラップとともに幅方向に折り返されている（つまり、長手方向に延びる折り目で折り返されている）ことも好ましい。このとき吸収性物品は、接合部でフラップと吸収性物品の肌側面とが対面するように、折り返されることが好ましい。このように吸収性物品が折り畳まれていれば、吸収性物品の使用前は、接合部を挟んで、フラップと吸収性物品の肌側面とが互いに離れるような力が作用しにくくなり、フラップの吸収性物品の肌側面への仮留めが維持されやすくなる。
【００４３】
幅方向に折り返された吸収性物品は、さらに長手方向に折り返されて、使用前にコンパクトに折り畳まれていてもよい。吸収性物品は一般に幅方向の両側にフラップが設けられていることから、吸収性物品は幅方向に３つ折りされることが好ましい。また、長手方向には２つ折りまたは３つ折りされることが好ましい。このように吸収性物品が折り畳まれていれば、折り畳まれた吸収性物品の厚みが厚くなりすぎず、平面上の大きさもコンパクトになり好ましい。
【００４４】
次に、本発明の吸収性物品の構成例について、図１および図２を参照して説明する。なお、本発明は、図面に示された実施態様に限定されるものではない。図１は、吸収性物品として尿パッドを肌側面から見た平面図を表す。図２は、図１の吸収性物品のＡ−Ａ断面図を表す。図１および図２には、フラップの仮留めが解除された状態の吸収性物品が示されている。なお図面では、矢印ｘが幅方向、矢印ｙが長手方向を表し、矢印ｘ，ｙにより形成される面に対して垂直方向が上下方向ｚを表す。
【００４５】
吸収性物品１は、幅方向ｘと長手方向ｙを有し、トップシート２とバックシート３とこれらの間に設けられた吸収性コア４とを有する。トップシート２は吸収性物品１の肌側面に設けられ、着用者から排泄された尿等を透過する。トップシート２を透過した排泄物は、吸収性コア４により収容される。バックシート３は吸収性物品１の外側面に設けられ、排泄物が外部へ漏れるのを防いでいる。
【００４６】
トップシート２の幅方向ｘの両側には、長手方向ｙに延びるサイドシート５が設けられている。サイドシート５は、トップシート２に固定された固定部７と、固定部７から延出し自由端９を含む起立部８と、固定部７より幅方向ｘの外方に位置し、バックシート３および／または吸収性コア４に積層されたサイド部１１を有する。なお図１では、サイドシート５がトップシート２に接合して固定された部分をクロスハッチングで示している。フラップ６は、起立部８により形成されている。固定部７と起立部８の境界には起立基部１０が形成され、フラップ６は起立基部１０を基点として吸収性物品１の肌側面から延出している。
【００４７】
フラップ６（起立部８）の自由端９に沿って弾性部材１２が設けられている。弾性部材１２の収縮力によりフラップ６が着用者の肌に向かって立ち上がり、尿等の幅方向ｘへの漏れが防止される。
【００４８】
図１および図２には、フラップ６（起立部８）の外側面と、フラップ６の幅方向の外方に位置する吸収性物品１の肌側面に、フラップ６（起立部８）と吸収性物品１の肌側面とを仮留めするための接合部１３が示されている。図１および図２では、吸収性物品１の肌側面の接合部１３Ｂが、サイドシート５のサイド部１１に設けられている。なお、接合部１３Ｂは、サイドシート５の固定部７に設けられてもよい。吸収性物品１の使用前は、フラップ６の外側面が吸収性物品１の肌側面と接合部１３で仮留めされている。すなわち、接合部１３Ａと接合部１３Ｂとが接合されている。吸収性物品１は、使用する際に接合部１３の仮留めを解除し、それによりフラップ６がしっかりと立ち上がりやすくなり、尿等の横漏れが防止されるようになる。
【００４９】
フラップ６は、長手方向ｙの端部の内側面が吸収性物品１の肌側面（図１ではトップシート２）に固定されている。このようにフラップ６が形成されていることにより、接合部１３の仮留めが外れやすくなり、フラップ６が着用者の肌に向かって好適に立ち上がりやすくなる。
【００５０】
接合部１３Ａは起立基部１０から離間して設けられている。このように接合部１３Ａが設けられていれば、接合部１３の仮留めを解除しやすくなる。
【００５１】
図１に示した吸収性物品１は、使用前、例えば起立基部１０に沿って幅方向ｘに折り返されている。このように吸収性物品１が折り畳まれていると、接合部１３Ａと接合部１３Ｂとが互いに対面して位置するようになり、フラップ６と吸収性物品１の肌面側（図１ではサイド部１１）との接合が維持されやすくなる。
【符号の説明】
【００５２】
１：  吸収性物品（尿パッド）
２：  トップシート
３：  バックシート
４：  吸収性コア
５：  サイドシート
６：  フラップ
７：  固定部
８：  起立部
９：  自由端
１０：  起立基部
１１：  サイド部
１２：  弾性部材
１３，１３Ａ，１３Ｂ：  接合部
【図１】
2013198686.tif 000003
【図２】
2013198686.tif 000004